(57)【特許請求の範囲】
【請求項１】
ノズル付きホースを引き出して放水する消火栓装置の機能点検を行う消火栓点検システムに於いて、
前記消火栓装置に、
加圧消火用水が供給される給水配管側に接続され、レバー操作により開閉される消火栓弁と、
前記消火栓弁に直列に接続され、ノズル側の放水圧力を所定圧に調整する自動調圧弁と、
前記消火栓弁に並列接続され、点検時に開閉制御される点検用消火栓弁と、
前記自動調圧弁の２次側に接続され、前記自動調圧弁の２次側をノズル側に連通する通常位置、又は前記自動調圧弁の２次側を排水側に連通する点検位置に切り替える切替弁と、
前記切替弁と排水側との間に設けられ、所定の点検流量を排水側に流すオリフィスと、
前記オリフィスの１次側の圧力を放水圧力として検出する放水圧力センサと、
を設け、
更に、点検時に、前記切替弁を通常位置から点検位置に切替制御し、前記点検用消火栓弁を開放制御し、前記オリフィスに加圧消火用水を流した状態で前記放水圧力センサで検出した放水圧力を測定する機能点検部を設け、
前記機能点検部は、点検終了時に前記点検用消火栓弁を閉止し、前記放水圧力センサで検出している放水圧力を測定して、測定した放水圧力が大気開放圧に低下した時に、前記切替弁を前記点検位置から通常位置に戻すことを特徴とする消火栓点検システム。
【請求項２】
請求項１記載の消火栓装置点検システムに於いて、前記機能点検部は、点検中に、前記消火栓弁の開閉レバーの開操作を検出した時、前記切替弁を前記点検位置から通常位置に切替制御することを特徴とする消火栓点検システム。
【発明の詳細な説明】
【技術分野】
【０００１】
本発明は、ノズル付きホースを引き出して消火する消火栓装置の点検システムに関し、特に放水圧力を確認するための機能点検を自動的に行う消火栓装置点検システムに関する。
【背景技術】
【０００２】
従来、自動車専用道路のトンネルには、トンネル内で発生する火災事故から人身及び車両を守るため、非常用設備が設置されている。このような非常用設備としては、火災の監視と通報のため火災検知器や非常電話が設けられ、火災消火のために消火栓装置やトンネル防護のための水噴霧ヘッドから水を散布させる水噴霧自動弁装置が設けられる。
【０００３】
消火栓装置にはノズル付きホースが収納されており、火災時には消火栓扉を開いてノズル付きホースを引き出し、消火栓弁開閉レバーを操作することでノズルから放水するようにしている。また消火栓装置には、火災時に使用者に支障がないように、ノズルからの放水圧力を自動で調整する自動調圧機能が備えられている。
【０００４】
トンネル内の非常用設備は、半年又は１年に一度、定期的に機能点検が実施される。その中で消火栓装置については、放水圧力を自動調整して規定圧力で放水する機能が問題なく働き、所定の性能を満足しているかどうか確認するため、トンネル内の通行を規制した状態でノズル付きホースを引き出して実際に放水する機能点検を行い、ホースに異常がないか確認すると共に、放水圧力が基準範囲にあるかを確認する機能点検を行い、点検終了時に水抜きをしながらホースを巻き上げて消火栓装置内に収納している。
【０００５】
このような機能点検はホースの引き出し及び点検後の収納に多くの手間と時間がかかることから、消火栓装置のホースを接続した給水配管に設けた消火栓弁の２次側にメンテナンス用装置（点検用継手）を取り付け、機能点検時には、メンテナンス用装置にノズル付きのダミーホースを取り付けて機能点検を行い、ホースの引き出しと収納をしなくともノズル放水状態と水圧の確認ができるように簡略化した機能点検も行われている。
【先行技術文献】
【特許文献】
【０００６】
【特許文献１】特開２０００−２７９５４４号公報
【特許文献２】特開２００５−３１８９７２号公報
【発明の概要】
【発明が解決しようとする課題】
【０００７】
しかしながら、このような従来のメンテナンス装置を用いた機能点検にあっても、消火栓装置を設置している現場に出向いて点検作業を行う必要があり、消火栓装置は道路に面していることから、点検の際にはトンネル内での交通規制を行う必要があり、交通規制を必要とすることのない更なる簡便化が求められている。
【０００８】
本発明は、道路に消火用水を放水することなく消火栓の機能点検を自動的に行って点検作業を簡便化可能な消火栓装置の点検システムを提供することを目的とする。
【課題を解決するための手段】
【０００９】
本願発明は、ノズル付きホースを引き出して放水する消火栓装置の機能点検を行う消火栓点検システムに於いて、
消火栓装置に、
加圧消火用水が供給される給水配管側に接続され、レバー操作により開閉される消火栓弁と、
消火栓弁に直列に接続され、ノズル側の放水圧力を所定圧に調整する自動調圧弁と、
消火栓弁に並列接続され、点検時に開閉制御される点検用消火栓弁と、
自動調圧弁の２次側に接続され、自動調圧弁の２次側をノズル側に連通する通常位置、又は自動調圧弁の２次側を排水側に連通する点検位置に切り替える切替弁と、
切替弁と排水側との間に設けられ、所定の点検流量を排水側に流すオリフィスと、
オリフィスの１次側の圧力を放水圧力として検出する放水圧力センサと、
を設け、
更に、点検時に、切替弁を通常位置から点検位置に切替制御し、点検用消火栓弁を開放制御し、オリフィスに加圧消火用水を流した状態で放水圧力センサで検出した放水圧力を測定する機能点検部を設け、
機能点検部は、点検終了時に点検用消火栓弁を閉止し、放水圧力センサで検出している放水圧力を測定して、測定した放水圧力が大気開放圧に低下した時に、切替弁を前記点検位置から通常位置に戻すことを特徴とする。
ここで、機能点検部は、点検中に、消火栓弁の開閉レバーの開操作を検出した時、切替弁を前記点検位置から通常位置に切替制御する。
【００１０】
ここで、機能点検部は、点検終了時に点検用消火栓弁を閉止し、放水圧力センサで検出している放水圧力を測定して、測定した放水圧力が大気開放圧に低下した時に、切替弁を前記点検位置から通常位置に戻す。
【００１１】
機能点検部は、点検中に、消火栓弁の開閉レバーの開操作を検出した時、切替弁を前記点検位置から通常位置に切替制御する。
【００１６】
機能点検部は、消火栓装置を監視するセンター装置、及び又は消火栓装置に設ける。
【発明の効果】
【００１７】
本願発明によれば、消火栓装置に設けた切替弁を点検位置に切替制御するか、点検弁を開制御し、これによって自動調圧弁で調圧された加圧消火用水を点検流量を決めるオリフィスを介して排水側に流し、放水圧力センサで検出したオリフィスの放水圧力を測定するようにしたため、道路に消火用水を放水することを防ぐことができ、機能点検が大幅に簡便化できる。またセンタ装置に居るだけで機能点検を行うことができる構成とすれば、現場作業を不要とすることで、トンネル内の通行規制を行う必要がなく、機能点検に要していた手間と時間を大幅に低減できる。
【図面の簡単な説明】
【００１８】
【図１】本発明による水噴霧自動弁点検システムの実施形態を示した説明図
【図２】図１に設けた消火栓装置の外観と消火栓扉を外して内部構造を示した説明図
【図３】本願発明による図１に設けた消火栓装置の放水バルブ系統と点検バルブ系統の実施形態を示した説明図
【図４】本願発明による図１のセンタ装置と消火栓装置に設けた端末ユニットの実施形態を示したブロック図
【図５】本願発明による機能点検処理を示したフローチャート
【図６】本願発明の応用例において、図１に設けた消火栓装置の放水バルブ系統と点検バルブ系統の実施形態を示した説明図
【図７】本願発明の応用例において、図１のセンタ装置と消火栓装置に設けた端末ユニットの実施形態を示したブロック図
【図８】本願発明の応用例において、機能点検処理を示したフローチャート
【図９】本願発明の他の応用例において、図１に設けた消火栓装置の放水バルブ系統と点検バルブ系統の実施形態を示した説明図
【図１０】本願発明の他の応用例において、図１のセンタ装置と消火栓装置に設けた端末ユニットの実施形態を示したブロック図
【図１１】本願発明の他の応用例において、機能点検処理を示したフローチャート
【発明を実施するための形態】
【００１９】
図１は本発明による消火栓装置点検システムの実施形態を示したブロック図である。図１において、消火栓装置１０はトンネルの側壁に沿って５０メートル間隔で複数台設置され、内部にノズル付きホースと消火器を収納している。消火栓装置１０の各々には端末ユニット１２が設けられる。
【００２０】
消火栓装置１０に設けた端末ユニット１２は伝送路１６を介して監視室などに設置されたセンタ装置１４に接続される。センタ装置１４は消火栓装置１０の点検時に機能点検コマンドを含む電文信号（以下単に「電文」という）を送信し、機能点検動作を行わせる。端末ユニット１２側からセンタ装置１４へは、各消火栓装置１０に設けた起動センサや放水圧センサ等の状態情報を送信する。
【００２１】
センタ装置１４には防災受信盤２０が信号線接続され、防災受信盤２０に接続された火災検知器の火災検知信号を受信する。消火栓装置１０に設けた発信機等の起動スイッチが操作された場合にはセンタ装置１４から防災受信盤２０へ移報信号を送信する。
またセンタ装置１４にはポンプ制御盤１８が信号線接続され、消火作業や機能点検時にポンプを起動する起動信号をポンプ制御盤１８に送信する。
【００２２】
図２は図１に示したトンネルに設置される消火栓装置の説明図であり、図２（Ａ）に正面図を、図２（Ｂ）に消火栓扉を外した状態の内部構造を示している。図２（Ａ）において、消火栓装置１０は、筐体２６の前面に配置した化粧板２８の右側の扉開口に、消火栓扉３０と保守扉３２が設けており、その内部がホース収納空間及びバルブ類収納空間となっている。消火栓扉３０は下側のヒンジを中心に前方に開閉する。
【００２３】
消火栓扉３０の上には、上側のヒンジにより上向に開閉する保守扉３２が設けられており、点検時に消火栓扉３０を開いて内側のロックを外すことで開くことができる。
【００２４】
筐体２６の左側扉開口の右側には通報装置扉３４が設けられ、ここに赤色表示灯３６、発信機３８、及び応答ランプ４０を設けている。赤色表示灯３６は常時点灯し、消火栓装置１０の設置場所が遠方から分かるようにしている。火災時には、発信機３８を押してスイッチボタンをオンすると、発信信号が監視室のセンタ装置１４を経由して防災受信盤２０に送信されて火災警報が出され、これに伴い応答信号がセンタ装置１４から送られて、応答ランプ４０を点灯する。
【００２５】
通報装置扉３４の左側には消火器扉４２が設けられ、消火器扉４２に対応した筐体２２の内部を消火器収納空間とし、図２（Ｂ）に示すように２本の消火器４５を収納している。消火器扉４２は左側をヒンジとして前方に開くことができる。また、消火器扉４４の下側には覗き窓４５が設けられ、外部から消火器の収納状態の有無を確認できるようにしている。
【００２６】
図２（Ｂ）において、筐体２２の左側にはホース収納空間が形成され、右側にバルブ類収納空間を形成している。ホース収納空間には、その周囲を囲んでホース５０を押えるホースバケット４６が設けられ、ホースバケット４６及び筐体内壁で囲まれたホース収納空間にホース５４を内巻きして収納している。ホースバケット４６は、格子状のフレーム配置により扉開口の左右方向における略中央となる位置にホース取出口４８を仕切り形成している。
【００２７】
ホースバケット４６の右側には、ホース取出口４８から引き出したホース５０の先端に装着しているノズル５２を横向きで着脱自在に保持している。
【００２８】
ホース収納空間の右側に配置したバルブ類収納空間には、ポンプ設備からの配管２２が接続される消火栓接続口からホース接続口に至る配管系統に、給水弁５３、消火栓弁（操作案内板の背面に位置）、自動調圧弁５８及びメンテナンス装置６５を含む放水バルブ系統と後の説明で明らかにする機能点検バルブ系統を設けている。
【００２９】
消火栓弁に対しては消火栓弁開閉レバー６６が設けられ、これに対応して設けた銘板の裏側に配置された消火栓弁を開閉する。
【００３０】
同時に消火栓弁開閉レバー６６の背後に設置している弁開閉検出スイッチがオンし、これによって図１のセンタ装置１４を経由してポンプ制御盤１８にポンプ起動信号が送られ、ポンプ設備が起動される。放水を停止する際には、消火栓弁開閉レバー６６を元の上向き位置に戻すと消火栓弁が閉じ、同時に弁解閉検出スイッチがオフとなってポンプ設備の運転停止が行われる。
【００３１】
また給水弁５４の手前にはポンプ起動スイッチ７０が配置される。給水弁５４及びポンプ起動スイッチ７０は消防隊が消火時に操作する機器であり、消火栓扉３０を開いても保守扉３２により隠されており、消火栓装置を操作しようとする一般ユーザに見せないことで、不要な混乱を起させないようにしている。
【００３２】
図３は本願の第１発明による消火栓装置の放水バルブ系統と点検バルブ系統の実施形態を示した説明図である。図３において、バルブ類収納空間には、給水弁５４、遠隔消火栓弁５５、消火栓弁５６、自動調圧弁５８、遠隔三方切替弁６０、オリフィス７２、仕切弁７６、放水圧力センサ７８、自動排水弁６１、安全弁６４およびメンテナンス装置６５を設けている。
【００３３】
消火栓弁５６は給水配管２２を接続した給水弁５４の１次配管に分岐接続され、消火栓弁開閉レバー６６の操作により開閉される。消火栓弁５６と並列には電動弁を用いた遠隔消火栓弁５５が接続され、センタ装置１４からの制御電文により遠隔的に開閉制御され、通常時は閉止しており、点検時に開放される点検時用消火栓弁である。自動調圧弁５８は消火栓弁５６の２次側に直列接続され、ノズル５２側の放水圧力を規定圧に調整する。
【００３４】
自動調圧弁５８の二次側に遠隔三方切替弁６０が接続され、電動式の三方切替弁であり、センタ装置１４からの切替電文により、自動調圧弁５８の２次側のポートａとノズル側のポートｂを連通する右側に取り出して示す通常位置６０ａ、又は自動調圧弁５８の２次側のポートａを排水側のポートｃに連通する右側に取り出して示す点検位置６０ｂに切り替える。
【００３５】
オリフィス７２は遠隔三方切替弁６０のポートｃからドレインに至る排水管７４ａの途中に設けられ、所定の点検流量を排水側に流す。即ち、オリフィス７２はノズル５２に相当する流量を流すもので点検時の擬似的なノズルとして機能する。
【００３６】
自動調圧弁５８の二次側に接続された放水圧力センサ７８は、機能点検時にオリフィス７２の１次側の圧力を放水圧力として検出し、検出した放水圧力は端末ユニット１２によりセンタ装置１４の測定情報として送られる。本実施形態では圧力センサ７２は自動調圧弁５８と遠隔三方切替弁６０との間の配管に仕切弁７６を介して接続され、機能点検時のオリフィス７２の一次側の放水圧力測定だけでなく、消火放水時のホース５０に入力される消火用水の放水圧力も測定して、センタ装置１４に測定情報を送るようにしている。この放水圧力センサを遠隔三方切替弁の一次側に接続配置することで、消火作業時の放水圧力の監視と、機能点検時のオリフィス７２に流れる放水圧の点検と、従来通りのメンテナンス装置６５に点検用ホースを接続して機能点検を行うときの圧力測定にも使用することができる。なお、放水圧力センサ７８は本発明のオリフィス７２及び排水管７４ａを使用した機能点検のみに使用する場合は、遠隔三方切替弁６０のポートｃに接続される排水管７４ａに接続して機能点検時にのみ使用するよう配置しても良い。
【００３７】
ホース接続口６７への配管の途中にはメンテナンス装置６５が設けられる。また遠隔三方切替弁６０のノズル側のポートｂからドレインに至る排水管７４ｂには自動排水弁６１と安全弁６４が並列に設けられている。自動排水弁６１は、消火作業を行っていない通常監視時に開放して消火栓弁５６からホース５２に至る配管内に存在する消火用水を排水管７４ｂに流して排水し、消火時には消火用水の充水により配管内の圧力が所定値を越えたときに閉動作して排水を停止する。安全弁６４はホース５２側の圧力が所定値を越えたときに開動作して排水管７４ｂに消火用水を流して圧力上昇を抑える。
【００３８】
端末ユニット１２は制御負荷として遠隔消火栓弁５５と遠隔三方切替弁６０を接続し、また、検出部や操作部として、消火栓弁開閉検出スイッチ６８、放水圧力センサ７８と消防隊が使用するポンプ起動スイッチ７０を接続している。
【００３９】
ここで図３の実施形態による火災時の放水動作を説明する。消火栓装置１０の通常監視状態にあっては、遠隔三方切替弁６０は通常位置６０ａにあり、ポートａとポートｂを連通することで、自動調圧弁５８の２次側を遠隔三方切替弁６０を介してノズル付きホース５０側に連通している。通常監視状態では消火栓弁５６の二次側には消火用水が存在せず、ノズル５２及び自動排水弁６１が開放していることから放水圧力センサ７８は大気開放圧となる。
【００４０】
火災時には、図２に示した消火栓扉３０を開き、消火栓弁開閉レバー６６を操作し消火栓弁５６が開放位置に作動され、給水配管２２から加圧供給された消火用水を自動調圧弁５８で所定圧に調圧した後、遠隔三方切替弁６０を介してホース５０側に供給し、ホース５０を消火対象物まで引き延ばしてノズル５２から放水する。
【００４１】
消火栓弁開閉レバー６６を操作すると同時に背後に設置している消火栓弁開閉検出スイッチ６８がオンし、端末ユニット１２から図１のセンタ装置１４に消火栓弁開の電文を送信し、ホンプ制御盤１８にポンプ起動信号を出力してポンプ設備を起動する。放水を停止する際には、消火栓弁開閉レバー６６を元の位置に戻すと消火栓弁５６が閉じ、同時に弁開閉検出スイッチ６８がオフとなり、端末ユニット１２から図１のセンタ装置１４に消火栓弁閉の電文を送信し、ホンプ制御盤１８にポンプ停止信号を出力してポンプ設備の運転停止が行われる。
【００４２】
次に図３の実施形態による機能点検時の動作を説明する。機能点検を行う際には、図１に示したセンタ装置１４で消火栓装置を指定した機能点検開始操作が行われ、これに伴い端末ユニット１２に機能点検の電文が送信される。受信電文から機能点検を認識した端末ユニット１２は、遠隔三方切替弁６０に制御信号を出力して通常位置６０ａから点検位置６０ｂに切り替える。これによって自動調圧弁５８の２次側はオリフィス７２を通って排水管７４ａ側に連通する。遠隔三方切替弁６０が正しく切り替わったかを監視する監視用センサを遠隔三方切替弁６０に配置して、センタ装置１４に送信してもよい。
【００４３】
続いて端末ユニット１２は遠隔消火栓弁５５に制御信号を出力して開制御する。遠隔消火栓弁５５が開放されると、給水配管２２からの加圧消火用水は自動調圧弁５８で調圧された後、点検位置６０ａに切り替わっている遠隔三方切替弁６０を通ってオリフィス７２から排水管７４ａに流れ、擬似的な実機能点検状態を作り出す。
【００４４】
この機能点検中に放水圧力センサ７８で検出された放水圧力の電文が、端末ユニット１２から図１のセンタ装置１４に送られて放水圧力が表示され、適正な放水圧力が得られているかどうかが判断でき、消火栓装置１０の設置現場に出向く必要はない。適正な放水圧力が得られているかどうかの判断はセンタ装置が自動的に判断して判断結果を表示するようにしても良い。
【００４５】
また点検中にあっては、遠隔三方切替弁６０からオリフィス７２を介して排水管７４ａに消火用水が流れるだけであり、メンテナンス装置６５にノズル付きダミーホースを接続した実機能点検のように、トンネル内への放水が行われることはなく、機能点検の際にトンネル内での車線規制は不要であり、簡単且つ容易に機能点検ができる。
【００４６】
点検放水による放水圧力を確認すると、センタ装置１４から機能点検終了の電文が送られ、この電文を端末ユニット１２で受信して遠隔消火栓弁５５に制御信号を出力して閉制御し、同時にセンタ装置１４からポンプ停止信号がポンプ制御盤１８に出力されてポンプ設備の運転が停止される。
【００４７】
遠隔消火栓弁５５の閉制御に伴いオリフィス７２側の圧力は低下し、圧力センサ７８で検出している放水圧力がドレイン側の大気開放圧に低下した時に、端末ユニット１２は遠隔三方切替弁６０に制御信号を出力して点検位置６０ｂから通常位置６０ａに切替え、機能点検を終了する。遠隔三方切替弁６０の点検位置６０ｂから通常位置６０ａに切替えは、管内に残っている消火用水を完全に排水するため、所定の遅延時間後に切替えることが望ましい。
【００４８】
また機能点検中に、火災が発生して消火栓弁開閉レバー６６の開操作が行われた場合には、強制的に機能点検を終了して遠隔三方切替弁６０を点検位置６０ｂから通常位置６０ａに切替えることで、ノズル５２からの放水に切替えることができる。
【００４９】
なお、本実施形態においてはメンテナンス装置６５を従来通りに配管途中に設けているが、本発明は遠隔的に点検を行うことができることから、メンテナンス装置６５を削除してもよい。遠隔点検だけでなく現地でも従来通りの機能点検を行ないたい場合にはメンテナンス装置６５を設けても良い。自動調圧弁５８は消火栓弁５６の一次側に配置しても良い。
【００５０】
この遠隔点検の実行タイミングは、センタ装置１４における監視員の点検開始操作で行っても良いし、センタ装置１４が定期的に所定のタイミングで自動的に行っても良い。機能点検は消火栓装置毎に順に点検を行う。また、防災受信盤からの火災信号を受信した場合や、消火栓装置にて消火作業時には、遠隔点検を行わない。また、機能点検中に、火災信号の受信や消火栓による作業の開始を受信した場合には点検を終了し、元の通常監視状態に復旧させる。
また、施工時などの自動調圧弁５８を操作して調圧設定を行う場合、あるいは消火栓装置に居て圧力値を目視監視するために、圧力センサ７８と並列に表示部を備える圧力計を配置しても良い。
【００５１】
図４は図１のセンタ装置１４と消火栓装置１０に設けた端末ユニット１２の詳細を示したブロック図である。図４において、消火栓装置の端末ユニット１２には端末伝送部８０と端末処理部８２が設けられ、端末処理部８２に対しては制御負荷として遠隔消火栓弁５５及び遠隔三方切替弁６０が設けられ、また操作部及びセンサとして消火栓弁開閉検出スイッチ６８、ポンプ起動スイッチ７０及び放水圧力センサ７８が設けられている。
【００５２】
一方、センタ装置１４にはセンタ伝送部８４とセンタ処理部８６が設けられ、センタ処理部８６に対しては表示部９２、操作部９４、警報部９６、更に記憶部９８が接続されている。センタ処理部８６にはコンピュータのＣＰＵによるプログラムの実行で実現される機能として、消火栓装置監視部８８と機能点検部９０が設けられている。
【００５３】
センタ処理部８６に設けた消火栓装置監視部８８は、火災発生により消火栓装置からノズル付きホースを引き出して放水するときの消火栓弁開閉レバーの開位置への操作に伴う消火栓弁検出スイッチ６８のオン操作の電文を端末ユニット１２から受信した際に、ポンプ制御盤１８にポンプ起動信号を送ってポンプ設備を起動する。その後、端末ユニット１２から受信した放水圧力センサ７８で検出した放水圧力の測定電文に基づき、所定の放水圧力が得られた時に消火栓装置の動作表示を表示部９２に行う。また消火栓弁開閉検出スイッチ６８のオフ操作の電文を端末ユニット１２から受信した際に、ポンプ制御盤１８にポンプ停止信号を送ってポンプ設備を停止する。
【００５４】
機能点検部９０は消火栓装置１０の定期点検の際に、担当者の点検指示操作に基づき機能点検コマンドを含む電文を端末ユニット１２に送信して図３に示した消火栓装置１０の機能点検を行わせる。
【００５５】
図５は図４のセンタ装置に設けた機能点検部による本願発明の実施形態となる図３の消火栓装置を対象とした機能点検処理を示したフローチャートである。
【００５６】
図５において、機能点検を行う際には、センタ装置１４の操作部９４の操作もしくはスケジュール管理により機能点検の開始操作が行われ、ステップＳ１で機能点検開始操作を判別するとステップＳ２に進み、機能点検する消火栓装置を選択する。なお、点検する消火栓装置の順番は予め設定されており、ステップＳ２では最初に機能点検する消火栓装置が選択される。
【００５７】
次にステップＳ３で点検位置へ切替える制御電文を送信して遠隔三方切替弁６０を通常位置６０ａから点検位置６０ｂに切替え、自動調圧弁５８の２次側はオリフィス７２を通って排水管７４ａ側に連通させる。続いてステップＳ４で遠隔消火栓弁５５を開く制御電文を送信し、遠隔消火栓弁５５を開制御し、続いてステップＳ５でポンプ制御盤１８にポンプ起動信号を送ってポンプ設備の運転を開始する。
【００５８】
このため、遠隔消火栓弁５５が開放されると、給水配管２２からの加圧消火用水は自動調圧弁５８で調圧された後、点検位置６０ｂに切り替わっている遠隔三方切替弁６０を通ってオリフィス７２から排水管７４ａに流れ、擬似的な放水状態を作り出す。
【００５９】
機能点検中にあってはステップＳ６で放水圧力センサ７８で検出された放水圧力の測定電文がセンタ装置１４に送信されてくることから、測定電文から取得した放水圧力をセンタ装置１４の表示部９２に表示し、また所定の閾値と比較判定して適正な放水圧力が得られているかどうか判断し、判断結果を報知する。
【００６０】
続いてステップＳ７で機能点検停止操作の有無を判別しており、機能点検停止操作を判別しない時はステップＳ８で消火栓弁開閉レバー６６の開操作の有無を判別している。もしステップＳ８で消火栓弁開閉検出スイッチ６８による開操作検出の電文を受信した時は、ステップＳ９に進んで遠隔三方切替弁６０を点検位置６０ｂから通常位置６０ａに戻す制御電文を送信し、火災発生に対応するため強制的に機能点検を中止させる。
【００６１】
機能点検中にステップＳ７で機能点検の停止操作が判別されると、ステップＳ１０に進んで放水停止の制御電文を送信して遠隔消火栓弁５５を閉制御し、続いてステップＳ１１でポンプ制御盤１８にポンプ停止信号を送信してポンプ設備の運転停止を指示する。
【００６２】
続いてステップＳ１２で放水圧力センサ７８の検出圧力を測定し、ステップＳ１３で放水圧力が大気開放圧まで低下したか否か監視している。測定している放水圧力が大気開放圧に低下したことをステップＳ１３で判別すると、ステップＳ１４に進み、制御電文の送信により、遠隔三方切替弁６０を点検位置６０ｂから通常位置６０ａに切替え、機能点検を終了する。
【００６３】
続いてステップＳ１５で予め定めた全ての消火栓装置の点検が終了したか否か判別し、未終了であればステップＳ１６で次の消火栓装置を点検対象として選択し、ステップＳ３からの処理を繰り返し、終了であれば一連の機能点検処理を終了する。
【００６４】
なお、図５の機能点検処理においては、消火栓装置の点検を行う毎にポンプ起動とポンプ停止を繰り返す処理を行うが、これに限らず、機能点検モードに設定した段階で、ポンプ起動を行い、全ての消火栓装置の機能点検が終了したときにポンプ停止を行うようにしても良い。
【００６５】
図６は本願発明の応用例における消火栓装置の放水バルブ系統と点検バルブ系統の実施形態を示した説明図であり、本実施形態にあっては図３の第１発明実施形態に設けている遠隔消火栓弁５５及び消火栓弁５６を廃止し、遠隔三方切替弁６０により消火栓弁と点検弁の機能を実現するようにしたことを特徴とする。
【００６６】
図６において、バルブ類収納空間には、給水弁５４、自動調圧弁５８、遠隔三方切替弁６０、オリフィス７２、仕切弁７６、放水圧力センサ７８、安全弁６４およびメンテナンス装置６５を設けており、消火栓弁は設けられていない。
【００６７】
自動調圧弁５８は給水配管２２を接続した給水弁５４の１次配管に分岐接続され、ノズル５２側の放水圧力を所定圧に調整する。
【００６８】
遠隔三方切替弁６０は、点検用の消火栓弁で電動弁であり、自動調圧弁５８の２次側に接続され、センタ装置１４からの切替電文により、自動調圧弁５８の２次側のポートａを切り離してノズル側のポートｂと排水側のポートｃを連通する右側に取り出して示す通常位置６０ａ、自動調圧弁５８の２次側のポートａを排水側のポートｃに連通する右側に取り出して示す点検位置６０ｂ、または自動調圧弁５８の二次側のポートａをノズル側のポートｂに連通する右側に取り出して示す放水位置６０ｃに切り替えられる。
【００６９】
オリフィス７２は遠隔三方切替弁６０とドレインに至る排水管７４ａの途中に設けられ、ノズル５２に相当する所定の流量を流すもので擬似的なノズルとして機能する。
【００７０】
放水圧力センサ７８はオリフィス７２の１次側の圧力を放水圧力として検出し、検出した放水圧力は端末ユニット１２によりセンタ装置１４の測定情報として送られる。放水圧力センサ７８は自動調圧弁５８と遠隔三方切替弁６０との間の配管に仕切弁７６を介して接続され、点検放水時及び消火放水時の放水圧力を検出できるようにしている。
【００７１】
ホース接続口６７への配管の途中にはメンテナンス装置６５が設けられる。また遠隔三方切替弁６０のノズル側のポートｂからドレインに至る排水管７４ｂには安全弁６４が設けられている。
【００７２】
端末ユニット１２には制御負荷として遠隔三方切替弁６０を接続し、また、検出部や操作部として、放水圧力センサ７８、消防隊が使用するポンプ起動スイッチ７０を接続し、更に消火栓弁開閉レバーに代えてユーザが火災時に操作する放水スイッチ７１を接続している。ポンプ起動スイッチ７０は図２の消火栓装置の保守扉３２に隠れて一般の人は操作できないようにしており、放水スイッチ７１は一般の人が容易に操作できるように消火栓扉３０を開放した際に現れる位置に配置する。
【００７３】
ここで図６の実施形態による火災時の放水動作を説明する。消火栓装置１０の通常監視状態において、遠隔三方切替弁６０は通常位置６０ａにあり、ポートａを切り離すと共にポートｂとポートｃを連通している。これにより、消火栓弁として機能する遠隔三方切替弁６０のポートｂからホース５０に至る流路内部の消火用水を排水することができ、本実施形態においては図３の自動排水弁６１を削除している。
【００７４】
火災時には、図２に示した消火栓扉３０を開き、ノズル５２を取り出し、放水スイッチ７１をオン操作する。放水スイッチ７１をオン操作すると、端末ユニット１２から図１のセンタ装置１４に放水スイッチの操作電文を送信し、ホンプ制御盤１８にポンプ起動信号を送信してポンプ設備を起動する。また、センタ装置１４からの受信電文から放水制御を認識した端末ユニット１２は、遠隔三方切替弁６０に制御信号を出力して通常位置６０ａから放水位置６０ｃに切り替え、自動調圧弁５８の２次側はホース５０に連通する。これによって、ノズル５２から消火用水を放水して消火作業を行うことができる。
【００７５】
放水を停止する際には、放水スイッチ７１を再度操作すると端末ユニット１２から図１のセンタ装置１４に操作電文を送信し、ホンプ制御盤１８にポンプ停止信号を送信してポンプ設備の運転停止が行われるとともに、遠隔三方切替弁６０を通常位置６０ａに切り替えて放水を停止し、ホース内の消火用水をオリフィス７２を介して排水を行う。
【００７６】
なお、放水スイッチ７１としては押釦スイッチ以外に、図３に示す消火栓弁開閉レバー６６と消火栓弁開閉検出スイッチ６８を設け、消火栓弁は存在しないが、ダミーとしての消火栓弁開閉操作による消火栓弁開閉検出スイッチ６８のオン、オフをセンタ装置１４に操作電文として送信してポンプ設備の起動と停止を行うようにしても良い。
【００７７】
次に図６の実施形態による機能点検の動作を説明する。機能点検を行う際には、図１に示したセンタ装置１４で消火栓装置を指定した点検開始操作が行われ、これに伴い端末ユニット１２に機能点検電文が送信される。受信電文から機能点検を認識した端末ユニット１２は、遠隔三方切替弁６０に制御信号を出力して通常位置６０ａから点検位置６０ｂに切替える。これによって自動調圧弁５８の２次側はオリフィス７２を通って排水管７４ａ側に連通する。またセンタ装置１８はポンプ制御盤１８にポンプ起動信号を送信してポンプ設備の運転を開始する。
【００７８】
このため給水配管２２からの加圧消火用水は自動調圧弁５８で調圧された後、点検位置６０ｂに切り替わっている遠隔三方切替弁６０を通ってオリフィス７２から排水管７４ａに流れ、擬似的な実放水状態を作り出す。
【００７９】
機能点検中に放水圧力センサ７８で検出された放水圧力値は、電文により端末ユニット１２から図１のセンタ装置１４に送られて表示され、適正な放水圧力が得られているかどうかが判断でき、消火栓装置１０の設置現場に出向く必要はない。また点検中にあっては、遠隔三方切替弁６０からオリフィス７２を介して排水管７４ａに消火用水が流れるだけであり、トンネル内への放水が行われないことからトンネル内での車線規制は不要である。
【００８０】
機能点検が終了すると、センタ装置１４から機能点検終了電文が送られ、この電文を端末ユニット１２で受信して遠隔三方切替弁６０を点検位置６０ｂから通常位置６０ａに切替える。この遠隔三方切替弁６０は切り状態を確認できるセンサを備えており、センタ装置１４で遠隔三方切替弁６０の切替状態を確認しながら点検や消火作業を行うことができる。
【００８１】
また機能点検中に、火災が発生して消火栓弁開閉レバー６６の開操作が行われた場合には、遠隔三方切替弁６０を点検位置６０ｂから放水位置６０ｃに切替えることで、強制的に機能点検を中止してノズル５２からの放水に切替える。
図６の実施形態の場合においても、放水圧力センサ７８は配管７４ａに取り付けて、機能点検専用に使用しても良い。
【００８２】
図７は図６の消火栓装置を対象として図１のセンタ装置と消火栓装置に設けた端末ユニットの詳細を示したブロック図である。図７において、消火栓装置の端末ユニット１２には端末伝送部８０と端末処理部８２が設けられ、端末処理部８２に対しては制御負荷として遠隔三方切替弁６０が設けられ、また操作部及びセンサとしてポンプ起動スイッチ７０、放水スイッチ７１及び放水圧力センサ７８が設けられている。
【００８３】
一方、センタ装置１４にはセンタ伝送部８４とセンタ処理部８６が設けられ、センタ処理部８６に対しては表示部９２、操作部９４、警報部９６、更に記憶部９８が接続されている。センタ処理部８６にはコンピュータのＣＰＵによるプログラムの実行で実現される機能として、消火栓装置監視部８８と機能点検部９０が設けられている。
【００８４】
センタ処理部８６に設けた消火栓装置監視部８８は、火災発生により消火栓装置からノズル付きホースを引き出して放水するときの放水スイッチ７１の操作電文を端末ユニット１２から受信した際に、ポンプ制御盤１８にポンプ起動信号を送ってポンプ設備を起動する。
【００８５】
その後、端末ユニット１２から受信した放水圧力センサ７８で検出した放水圧力の測定電文に基づき、所定の放水圧力が得られた時に消火栓装置の動作表示を表示部９８に行う。また機能点検中に放水スイッチ６８の再度の操作に基づく操作電文を端末ユニット１２から受信した際に、ポンプ制御盤１８にポンプ停止信号を送ってポンプ設備を停止する。
【００８６】
機能点検部９０は消火栓装置１０の定期点検の際に、担当者の機能点検操作に基づき機能点検電文を端末ユニット１２に送信して図６に示した消火栓装置１０の機能点検を行わせる。
【００８７】
図８は図７のセンタ装置に設けた機能点検部による本願発明の応用例における実施形態となる図６の消火栓装置を対象とした機能点検処理を示したフローチャートである。
【００８８】
図８において機能点検を行う際には、センタ装置１４の操作部９４により機能点検の開始操作が行われ、ステップＳ２１で機能点検開始操作を判別するとステップＳ２２に進み、点検する消火栓装置を選択する。
【００８９】
次にステップＳ２３で点検位置へ切替える制御電文を送信して遠隔三方切替弁６０を点検位置６０ｂに切替え、続いてステップＳ２４でポンプ制御盤１８にポンプ起動信号を送ってポンプ設備の運転を開始する。
【００９０】
このため、給水配管２２からの加圧消火用水は自動調圧弁５８で調圧された後、点検位置６０ｂに切り替わっている遠隔三方切替弁６０を通ってオリフィス７２から排水管７４ａに流れ、擬似的な実放水状態を作り出す。
【００９１】
機能点検中にあってはステップＳ２５で放水圧力センサ７８で検出された放水圧力の測定電文によりセンタ装置１４に送信されてくることから、受信測定電文から取得した放水圧力をセンタ装置１４の表示部９２に表示し、また所定の閾値と比較判定して適正な放水圧力が得られているかどうか判断し、判断結果を報知する。
【００９２】
続いてステップＳ２６で機能点検停止操作の有無を判別しており、機能点検停止操作を判別しない時はステップＳ２７で放水スイッチ７１のオン操作の有無を判別している。もしステップＳ２７で放水スイッチ７１のオン操作の操作電文を受信した時は、ステップＳ２８に進んで遠隔三方切替弁６０を点検位置６０ｂから放水位置６０ｃに切替える制御電文を送信し、火災発生に対応するため強制的に機能点検を中止し、ノズル５２からの放水に切替える。
【００９３】
機能点検中にステップＳ２６で機能点検の停止操作が判別されると、ステップＳ２９に進んで放水停止の制御電文を送信して遠隔三方切替弁６０を点検位置６０ｂから通常位置６０ａに戻し、続いてステップＳ３０でポンプ制御盤１８にポンプ停止信号を送信してポンプ設備の運転を停止する。
【００９４】
続いてステップＳ３１で予め定めた全ての消火栓装置の点検が終了したか否か判別し、未終了であればステップＳ３２で次の消火栓装置を点検対象として選択し、ステップＳ２３からの処理を繰り返し、終了であれば一連の機能点検処理を終了する。
【００９５】
なお、図８の点検フローの場合も消火栓の点検をする毎にポンプ起動と停止を行うが、これに限らず点検開始でポンプの起動を行い、全ての消火栓装置の点検が終了したときにポンプ停止を行っても良い。
【００９６】
図９は本願の更に他の応用例における消火栓装置の放水バルブ系統と点検バルブ系統の実施形態を示した説明図である。図９において、バルブ類収納空間には、給水弁５４、自動調圧弁５８、消火栓弁５６、自動排水弁６２、安全弁６４、メンテナンス装置６５、遠隔点検弁１００、オリフィス７２を設けている。
【００９７】
自動調圧弁５８は給水配管２２を接続した給水弁５４の１次配管に分岐接続され、ノズル５２側の放水圧力を所定圧に調整する。
【００９８】
消火栓弁５６は自動調圧弁６８からホース接続口６７との間に配置され、消火栓弁開閉レバー６６の操作により開閉される。消火栓弁開閉レバー６６の開閉操作は消火栓弁開閉検出スイッチ６８により検出される。
【００９９】
また自動調圧弁５８の２次側には排水管７４ａが分岐接続され、排水管７４ａに遠隔点検弁１００を設けている。遠隔点検弁１００は端末ユニット１２で機能点検電文をセンタ装置１４から受信した時に開制御され、所定の点検流量を排水管７４ａに流す。即ち、オリフィス７２はノズル５２に相当する流量を流すもので擬似的なノズルとして機能する。
【０１００】
放水圧力センサ７８はオリフィス７２の１次側の圧力を放水圧力として検出し、検出した放水圧力は測定電文により端末ユニット１２からセンタ装置１４に送られる。本実施形態では圧力センサ７２は自動調圧弁５８の２次側の配管に仕切弁７６を介して接続され、点検放水時及び消火放水時の放水圧力を検出できるようにしている。
【０１０１】
ホース接続口６７への配管の途中にはメンテナンス装置６５が設けられる。また消火栓弁５６の２次側からドレインに至る排水管７４ｂには自動排水弁６４と安全弁６４が設けられている。自動排水弁６４は消火栓弁５６の開により所定値以上の圧力が加わると閉鎖し、所定値未満に低下した圧力が加わると開放する。
【０１０２】
端末ユニット１２には制御負荷として遠隔点検弁１００を接続し、また、検出部や操作部として、消火栓弁開閉検出スイッチ６８、放水圧力センサ７８及び消防隊が使用するポンプ起動スイッチ７０を接続している。
【０１０３】
ここで図９の実施形態による火災時の放水動作を説明する。消火栓装置１０の通常監視状態にあっては、消火栓弁５６及び遠隔点検弁１００は閉鎖位置となっている。
【０１０４】
火災時には、図２に示した消火栓扉３０を開き、消火栓弁開閉レバー６６を下向きとなる開位置に操作する。消火栓弁開閉レバー６６の開操作により消火栓弁５６が開放位置に作動され、給水配管２２から供給された加圧消火用水を自動調圧弁５８で所定圧に調圧した後、消火栓弁５６を介してホース５０側に供給し、ノズル５２から放水する。
【０１０５】
同時に消火栓弁開閉レバー６６の背後に設置している消火栓弁開閉検出スイッチ６８がオンし、端末ユニット１２から図１のセンタ装置１４に消火栓弁の開操作電文を送信し、センタ装置１４からホンプ制御盤１８にポンプ起動信号を送信してポンプ設備を起動する。
【０１０６】
放水を停止する際には、消火栓弁開閉レバー６６を元の上向き位置に戻すと消火栓弁５６が閉じ、同時に弁開閉検出スイッチ６８がオフとなり、端末ユニット１２から図１のセンタ装置１４に消火栓弁の閉操作電文を送信し、ホンプ制御盤１８にポンプ停止信号を出力してポンプ設備の運転停止が行われる。
【０１０７】
次に図９の実施形態による機能点検を説明する。機能点検を行う際には、図１に示したセンタ装置１４で消火栓装置を指定した機能点検開始操作が行われると、これに伴い端末ユニット１２に機能点検電文が送信される。受信電文から機能点検を認識した端末ユニット１２は、遠隔点検弁１００に制御信号を出力して開制御し、給水配管２２からの加圧消火用水は自動調圧弁５８で調圧された後、開放した遠隔点検弁１００を通ってオリフィス７２から排水管７４ａに流れ、擬似的な実機能点検状態を作り出す。
【０１０８】
機能点検中に放水圧力センサ７８で検出された放水圧力は、測定電文により端末ユニット１２から図１のセンタ装置１４に送られて表示され、適正な放水圧力が得られているかどうかが判断でき、消火栓装置１０の設置現場に出向く必要はない。
【０１０９】
また点検中にあっては、遠隔点検弁１００からオリフィス７２を介して排水管７４ａに消火用水が流れるだけであり、消火栓弁５６は閉鎖しているため、メンテナンス装置６５にノズル付きダミーホースを接続した実機能点検のように、トンネル内への放水が行われることはなく、機能点検の際にトンネル内での車線規制は不要である。
【０１１０】
機能点検が終了すると、センタ装置１４から機能点検終了コマンドを含む電文が送られ、この電文を端末ユニット１２で受信して遠隔点検弁１００に制御信号を出力して閉制御し、同時にセンタ装置１４からポンプ停止信号がポンプ制御盤１８に出力されてポンプ設備の運転が停止される。
【０１１１】
また機能点検中に、火災が発生して消火栓弁開閉レバー６６の開操作が行われた場合には、遠隔点検弁１００を閉制御することで強制的に機能点検を終了し、ノズル５２からの放水に切替える。
【０１１２】
この図９の構成であると、機能点検用の遠隔点検弁１００が排水管７４ａに設けてあるため、火災時に消火用水が通る給水配管２２からノズル５２に至る通路に存在しないため、もし遠隔点検弁１００が故障して動かない場合でも、消火栓弁開閉レバー６６を手動開放すれば消火作業を確実に行うことができるというメリットがある。
図９の実施形態においても、保水圧力センサ７８はオリフィス７２付近の排水管７４ａに接続して、機能点検専用の圧力センサとしても良い。
【０１１３】
図１０は図１のセンタ装置１４と消火栓装置１０に設けた端末ユニット１２の詳細を示したブロック図である。図１０において、消火栓装置１０の端末ユニット１２には端末伝送部８０と端末処理部８２が設けられ、端末処理部８２に対しては制御負荷として遠隔点検弁１００が設けられ、また操作部及びセンサとして消火栓弁開閉検出スイッチ６８、ポンプ起動スイッチ７０及び放水圧力センサ７８が設けられている。
【０１１４】
一方、センタ装置１４にはセンタ伝送部８４とセンタ処理部８６が設けられ、センタ処理部８６に対しては表示部９４、操作部９６、警報部９８、更に記憶部１００が接続されている。センタ処理部８６にはコンピュータのＣＰＵによるプログラムの実行で実現される機能として、消火栓装置監視部８８と機能点検部９０が設けられている。
【０１１５】
センタ処理部８６に設けた消火栓監視部８８は、火災発生により消火栓装置からノズル付きホースを引き出して放水するときの消火栓弁開閉レバー６６の開操作に伴う消火栓弁検出スイッチ６８のオンに基づく開操作電文を端末ユニット１２から受信した際に、ポンプ制御盤１８にポンプ起動信号を送ってポンプ設備を起動する。
【０１１６】
その後、端末ユニット１２から受信した放水圧力センサ７８で検出した放水圧力の測定電文に基づき、所定の放水圧力が得られた時に消火栓装置の動作表示を表示部９８に行う。また消火栓弁検出スイッチ６８のオフに基づく閉操作電文を端末ユニット１２から受信した際に、ポンプ制御盤１８にポンプ停止信号を送ってポンプ設備を停止する。
【０１１７】
機能点検部９０は消火栓装置１０の定期点検の際に、担当者の機能点検開始操作にもとづき機能点検電文を端末ユニット１２に送信して図９に示した消火栓装置１０の機能点検を行わせる。
【０１１８】
図１１は図１０のセンタ装置に設けた機能点検部による本願第３発明の実施形態となる図９の消火栓装置を対象とした機能点検処理を示したフローチャートである。
【０１１９】
図１１において機能点検を行う際には、センタ装置１４の操作部９４により機能点検の開始操作が行われ、ステップＳ４１で機能点検開始操作を判別するとステップＳ４２に進み、点検する消火栓装置を選択する。
【０１２０】
次にステップＳ４３で機能点検の制御電文を送信して遠隔点検弁１００を開制御し、続いてステップＳ４４でポンプ制御盤１８にポンプ起動指示を行ってポンプ設備の運転を開始する。
【０１２１】
このため、遠隔点検弁１００が開放されると、給水配管２２からの加圧消火用水は自動調圧弁５８で調圧された後、遠隔点検弁１００を通ってオリフィス７２から排水管７４ａに流れ、擬似的な実放水状態を作り出す。
【０１２２】
機能点検中にあっては、ステップＳ４５で放水圧力センサ７８で検出された放水圧力の測定電文がセンタ装置１４に送信されてくることから、受信電文から放水圧力を取得する放水圧力測定を行い、センタ装置１４の表示部９２に表示し、また所定の閾値と比較判定して適正な放水圧力が得られているかどうか判断し、判断結果を報知する。
【０１２３】
続いてステップＳ４６で機能点検停止操作の有無を判別しており、機能点検停止操作を判別しない時はステップＳ４７で消火栓弁開閉レバー６６の開操作の有無を判別している。もしステップＳ４７で消火栓弁開閉検出スイッチ６８による開操作電文を受信した時は、ステップＳ４８に進んで遠隔点検弁１００を閉制御する制御電文を送信し、火災発生に対応するため強制的に機能点検を中止させる。
【０１２４】
機能点検中にステップＳ４６で機能点検の停止操作が判別されると、ステップＳ４９に進んで点検終了の電文を送信して遠隔点検弁１００を閉制御し、続いてステップＳ５０でポンプ制御盤１８に停止信号を送信してポンプ設備の運転停止を指示する。
【０１２５】
続いてステップＳ５１で予め定めた全ての消火栓装置の点検が終了したか否か判別し、未終了であればステップＳ５２で次の消火栓装置を点検対象として選択し、ステップＳ４３からの処理を繰り返し、終了であれば一連の機能点検処理を終了する。
【０１２６】
なお、上記の実施形態にあっては、センタ装置１４に設けた機能点検部９０から機能点検の手順に従って制御コマンドを含む電文を送信して消火栓装置１０側の遠隔消火栓弁５５、遠隔三方切替弁６０、遠隔点検弁１００を制御しているが、センタ装置１４の機能点検部９０から機能点検コマンドの電文のみを消火栓装置１０の端末ユニット１２に送信し、端末ユニット１２側で機能点検の開始から終了までの一連の点検動作を行い、その結果をセンタ装置１４に応答送信するようにしても良い。
【０１２７】
また、機能点検部はセンタ装置側に設けるものに限らず、各消火栓装置側に設けても良い。この場合は、点検員が現場に出向いて現地の点検開始操作部の操作で機能点検を開始し、点検結果を現地にて確認する。この場合は水圧値を目視確認するため測定を表示できる圧力計を備えると良い。消火栓装置が設置される現地にて点検操作が行われたときはセンタ装置にその旨の信号を送り、他の消火栓では機能点検ができないようにしても良い。
【０１２８】
したがって、他の消火栓にて機能点検や消火作業が行われているときは、点検開始操作部を操作しても点検を行われないことから、消火作業や他の消火栓装置の機能点検に悪影響を及ぼすことがない。この実施形態では点検員が消火栓装置に出向いて機能点検を行う必要があるが、消火用水を道路に放水することがなく、道路規制を行う必要もないため、容易に機能点検を行うことができる。
【０１２９】
また、機能点検部の機能はセンタ装置と消火栓装置側で分担して備えても良く、センタ装置側からの点検開始指示により、消火栓装置側が切替弁の制御等、放水圧の測定、点検結果判定を行い、判定結果をセンタ装置に返信して、センタ装置は全ての消火栓装置の機能点検結果を集計する構成としても良い。
【０１３０】
また上記の実施形態におけるフローチャートの処理は概略例を説明したもので、処理の順番などは、これに限定されない。また各処理や、処理と処理の間に必要に応じて遅延時間を設けたり、他の判定を導入するなど、適宜の形態をとることができる。
【０１３１】
また本発明はその目的と利点を損なうことのない適宜の変形を含み、更に上記の実施形態に示した数値による限定は受けない。
【符号の説明】
【０１３２】
１０：消火栓装置
１２：端末ユニット
１４：センタ装置
２２：給水配管
５５：遠隔消火栓弁
５６：消火栓弁
５８：自動調圧弁
６０：遠隔点検弁
６６：消火栓弁開閉レバー
７１：放水スイッチ
７２：オリフィス
７４ａ，７４ｂ：排水管
７６：遠隔三方切替弁
７８：放水圧力センサ
９０：機能点検部
１００：遠隔点検弁
【図１】
0005399878.tif 000002
【図２】
0005399878.tif 000003
【図３】
0005399878.tif 000004
【図４】
0005399878.tif 000005
【図５】
0005399878.tif 000006
【図６】
0005399878.tif 000007
【図７】
0005399878.tif 000008
【図８】
0005399878.tif 000009
【図９】
0005399878.tif 000010
【図１０】
0005399878.tif 000011
【図１１】
0005399878.tif 000012